(57)【要約】【課題】蓄電システムと同じ受電点に接続されている発電システムの異常の有無を、当該発電システムから何ら情報を得ることなく診断できる監視システムを提供する。【解決手段】監視システムは、管理サーバと、蓄電システムの動作状態に関する情報を蓄電システムから取得してインターネットを介して管理サーバに送信する送信装置とを含み、送信装置は、送信装置が接続されているネットワークセグメント上を流れるパケットを捕獲して解析することで、インターネット上の発電システム用管理サーバへの各通信の通信時刻及び／又は通信量を特定し、特定結果を示す通信状況情報を前記管理サーバに送信する通信状況情報送信手段を備え、管理サーバは、送信装置から受信した最新の複数個の通信状況情報に基づき、蓄電システムの受電点に接続されている発電システムの異常の有無を診断する診断手段を備える。【選択図】図１
2019213329.tif 000002
【特許請求の範囲】
【請求項１】
管理サーバと、
蓄電システムの動作状態に関する情報を前記蓄電システムから取得してインターネットを介して前記管理サーバに送信する送信装置と、
を含み、
前記送信装置は、
前記送信装置が接続されているネットワークセグメント上を流れるパケットを捕獲して解析することで、前記インターネット上の発電システム用管理サーバへの各通信の通信時刻及び／又は通信量を特定し、特定結果を示す通信状況情報を前記管理サーバに送信する通信状況情報送信手段、
を備え、
前記管理サーバは、
前記送信装置から受信した最新の複数個の前記通信状況情報に基づき、前記蓄電システムの受電点に接続されている発電システムの異常の有無を診断する診断手段、
を備える、
ことを特徴とする監視システム。
【請求項２】
前記送信装置は、前記ネットワークセグメント上を流れるパケットを捕獲して解析することにより、前記発電システム用管理サーバへの通信が行われる時間帯を学習する学習手段を、さらに備え、
前記送信装置の通信状況情報送信手段は、前記学習手段により学習された各時間帯の間だけ、前記ネットワークセグメント上を流れるパケットを捕獲して解析する、
ことを特徴とする請求項１に記載の監視システム。
【請求項３】
前記通信状況情報が、前記発電システム用管理サーバへの通信の有無を示す情報である、
ことを特徴とする請求項２に記載の監視システム。
【請求項４】
前記通信状況情報が、前記発電システム用管理サーバへの通信量を示す情報である、
ことを特徴とする請求項２に記載の監視システム。
【請求項５】
前記管理サーバの診断手段は、前記発電システムに異常があると診断した場合に、前記蓄電システムのユーザにその旨を通知するための処理を行う、
ことを特徴とする請求項１から４のいずれか一項に記載の監視システム。
【請求項６】
蓄電システムの動作状態に関する情報を前記蓄電システムから取得してインターネット上の管理サーバに送信する送信装置であって、
自送信装置が接続されているネットワークセグメント上を流れるパケットを捕獲して解析することで、前記インターネット上の発電システム用管理サーバへの各通信の通信時刻及び／又は通信量を特定する特定手段と、
前記特定手段による通信時刻及び／又は通信量の最新の複数個の特定結果に基づき、前記蓄電システムの受電点に接続されている発電システムの異常の有無を診断し、診断結果を前記管理サーバに送信する診断手段と、
を備えることを特徴とする送信装置。
【発明の詳細な説明】
【技術分野】
【０００１】
本発明は、監視システムと送信装置とに関する。
【背景技術】
【０００２】
蓄電システムの動作状態をスマートフォン等で確認（把握）できるようにするために、蓄電システムの動作状態に関する情報（蓄電残量等）をインターネット上の管理サーバで収集することが行われている。
【先行技術文献】
【特許文献】
【０００３】
【特許文献１】特開２０００−０７６０３３号公報
【特許文献２】特開２００７−２２１５６５号公報
【発明の概要】
【発明が解決しようとする課題】
【０００４】
蓄電システムが単独で使用されている場合には、蓄電システムからの情報のみで蓄電システムの動作状態を把握することが出来るが、蓄電システムが発電システムと組み合わせて使用されている場合には、発電システムの動作状態（主として、異常の有無）も把握できることが好ましい。動作状態に関する情報を発電システムから得られる場合には、当該情報に基づき、発電システムの異常の有無を診断することが出来る。従って、蓄電システムの動作状態も正確に把握できるのであるが、発電システムが他社製のものである場合や、発電システムが動作状態に関する情報を外部装置に出力する機能を有さないものである場合には、発電システムから動作状態に関する情報を得ることが出来ない。
【０００５】
本発明は、上記実情に鑑みなされたものであり、蓄電システムと同じ受電点に接続されている発電システムの異常の有無を、当該発電システムから何ら情報を得ることなく診断できる監視システムと、そのような監視システムを構築できる送信装置とを提供することを目的とする。
【課題を解決するための手段】
【０００６】
本発明の一観点に係る監視システムは、管理サーバと、蓄電システムの動作状態に関する情報を前記蓄電システムから取得してインターネットを介して前記管理サーバに送信する送信装置と、を含み、前記送信装置は、前記送信装置が接続されているネットワークセグメント上を流れるパケットを捕獲して解析することで、前記インターネット上の発電システム用管理サーバへの各通信の通信時刻及び／又は通信量を特定し、特定結果を示す通信状況情報を前記管理サーバに送信する通信状況情報送信手段を備え、前記管理サーバは、前記送信装置から受信した最新の複数個の前記通信状況情報に基づき、前記蓄電システムの受電点に接続されている発電システムの異常の有無を診断する診断手段、を備える。
【０００７】
すなわち、通常、発電システムの監視装置により、発電システムの動作状態に関する情報が、発電システム用管理サーバへ送信されている。そして、異常発生により発電システムの動作が停止すると、当該情報の送信が停止したり、送信される情報量が低下したりする。従って、上記構成の監視システムによれば、蓄電システムと同じ受電点に接続されている発電システムの異常の有無を、当該発電システムから何ら情報を得ることなく診断することが可能となる。
【０００８】
送信装置内のプロセッサの負荷を低減するために、監視システムに、『前記送信装置は
、前記ネットワークセグメント上を流れるパケットを捕獲して解析することにより、前記発電システム用管理サーバへの通信が行われる時間帯を学習する学習手段を、さらに備え、前記送信装置の通信状況情報送信手段は、前記学習手段により学習された各時間帯の間だけ、前記ネットワークセグメント上を流れるパケットを捕獲して解析する』構成を採用しておいても良い。
【０００９】
また、通信状況情報は、前記発電システム用管理サーバへの通信の有無を示す情報であっても、前記発電システム用管理サーバへの通信量を示す情報であっても良い。また、管理サーバの診断手段は、前記発電システムに異常があると診断した場合に、前記蓄電システムのユーザにその旨を通知するための処理を行っても良い。
【００１０】
また、本発明の一観点に係る送信装置は、蓄電システムの動作状態に関する情報を前記蓄電システムから取得してインターネット上の管理サーバに送信する送信装置であって、自送信装置が接続されているネットワークセグメント上を流れるパケットを捕獲して解析することで、前記インターネット上の発電システム用管理サーバへの各通信の通信時刻及び／又は通信量を特定する特定手段と、前記特定手段による通信時刻及び／又は通信量の最新の複数個の特定結果に基づき、前記蓄電システムの受電点に接続されている発電システムの異常の有無を診断し、診断結果を前記管理サーバに送信する診断手段と、を備える。
【００１１】
この送信装置を用いれば、蓄電システムと同じ受電点に接続されている発電システムの異常の有無を当該発電システムから何ら情報を得ることなく診断可能なシステムを構築することが出来る。
【発明の効果】
【００１２】
本発明によれば、蓄電システムと同じ受電点に接続されている発電システムの異常の有無を、当該発電システムから何ら情報を得ることなく診断することが可能となる。
【図面の簡単な説明】
【００１３】
【図１】図１は、本発明の一実施形態に係る監視システムの概略構成及び使用形態の説明図である。
【図２】図２は、監視システムの構成要素である監視装置の概略構成図である。
【図３】図３は、マスターパターンの説明図である。
【図４】図４は、パターン更新処理の流れ図である。
【図５】図５は、マスターパターン生成処理の説明図である。
【図６】図６は、監視装置が行う通信状況情報送信処理の流れ図である。
【図７】図７は、管理サーバが行う通信状況情報解析処理の流れ図である。
【発明を実施するための形態】
【００１４】
以下、図面を参照して、本発明の実施形態を説明する。
【００１５】
まず、図１及び図２を用いて、本発明の一実施形態に係る監視システムの概要を説明する。図１は、実施形態に係る監視システムの概略構成及び使用形態の説明図であり、図２は、監視システムの構成要素である監視装置２０の概略構成図である。
【００１６】
図１に示してあるように、本実施形態に係る監視システムは、管理サーバ１０、売電を行う発電システム４０と組み合わされている蓄電システム３０及び監視装置２０を備える。なお、“発電システム４０と組み合わされている”とは、“発電システム４０が接続されている受電点５５に接続されている”ということである。また、図１には、蓄電システム３０と監視装置２０とを１台ずつ示してあるが、通常、監視システムは、複数台の蓄電
システム３０と蓄電システム３０毎に用意された監視装置２０とを含むシステムとして構築される。
【００１７】
蓄電システム３０は、蓄電池３１に、当該蓄電池３１の充放電制御を行う蓄電池用パワーコンディショナ（以下、蓄電池用ＰＣＳと表記する）３２を接続したシステムである。蓄電システム３０を構成する蓄電池用ＰＣＳ３２は、逆潮流電流を検出するための電流センサ３５の出力に基づき、蓄電池３１に蓄えられた電力が逆潮流しないように（換言すれば、売電されないように）、蓄電池３１を制御する機能を有している。蓄電池用ＰＣＳ３２は、以下の機能も有している。
【００１８】
・自蓄電システム３０の動作状態を表す各種状態値、例えば、蓄電池３１の残蓄電量や逆潮流電力量を検出する状態値検出機能
・自蓄電システム３０に発生しているエラーを検出するエラー検出機能
・通信ケーブル２６により接続されている監視装置２０から要求された情報を監視装置２０に返送する情報出力機能
なお、蓄電池用ＰＣＳ３２の上記情報出力機能により監視装置２０に提供可能な情報には、状態値検出機能により検出された状態値、蓄電システム３０の現在の状態を示すステータス情報、自蓄電池用ＰＣＳ３２に割り当てられている機器ＩＤ等がある。
【００１９】
監視装置２０は、蓄電システム３０の動作状態をユーザ及び管理サーバ１０に知らせるための装置である。図２に示してあるように、監視装置２０は、ＬＣＤ（Liquid Crystal
Display）２１と、制御ユニット２２と、ＮＩＣ（Network Interface Card）２３と、操作部２４と、を備える。
【００２０】
ＮＩＣ２３は、管理サーバ１０と通信を行うためのインターフェース回路である。監視装置２０は、ルータ１５を介して、インターネットに接続される。
【００２１】
操作部２４は、複数の押しボタンスイッチを備えたユニットである。制御ユニット２２は、プロセッサ（ＣＰＵ、マイクロコントローラ等）、記憶装置（ＲＡＭ、ＨＤＤ、ＳＤＤ等）等を組み合わせたユニットである。制御ユニット２２は、設定されているプログラム、及び、管理サーバ１０のアドレス等に基づいて、以下のように動作する。
【００２２】
制御ユニット２２は、電源が投入されると、接続されている蓄電池用ＰＣＳ３２と通信を行うことにより、当該蓄電池用ＰＣＳ３２の機器ＩＤ（以下、自機器ＩＤと表記する）を把握する。そして、制御ユニット２２は、通常状態に移行する。
【００２３】
通常状態に移行した制御ユニット２２は、操作部２４に対する操作を通じてユーザからの、残蓄電量、充放電量、発生中のエラー等の表示指示を受け付ける。制御ユニット２２は、或る情報の表示指示を受け付けた場合には、当該情報を蓄電池用ＰＣＳ３２から取得してＬＣＤ２１に表示する。
【００２４】
また、通常状態に移行した制御ユニット２２は、周期的に、蓄電池用ＰＣＳ３２から、ステータス情報、残蓄電量及び充放電量を取得して、取得した情報を管理サーバ１０へ送信する状態となる。
【００２５】
発電システム４０（図１）は、監視装置４５と組み合わせて使用される、売電を行うシステムである。ここで、監視装置４５とは、監視装置２０と同じネットワークセグメント１６に接続された、インターネット上の発電システム用管理サーバ４８に発電システム４０の動作状態に関する情報（売電量等）を周期的に送信する装置のことである。発電システム４０は、売電を行うシステムであれば良いのであるが、以下の説明では、発電システ
ム４０が、太陽電池アレイ４１（以下、ＰＶ４１と表記する）とＰＶ用パワーコンディショナ（以下、ＰＶ用ＰＣＳと表記する）４２とを組み合わせた太陽光発電システムであるとする。
【００２６】
以下、本実施形態に係る監視システムの構成及び動作をさらに具体的に説明する。
【００２７】
上記したように、監視装置２０（制御ユニット２２）は、蓄電池用ＰＣＳ３２と通信を行うことにより蓄電システム３０の動作状態に関する情報を取得することができる。ただし、監視装置２０は、ＰＶ用ＰＣＳ４２と通信可能には構成されていない（図１参照）。従って、監視装置２０は、ＰＶ用ＰＣＳ４２から動作状態に関する情報を取得することはできないが、蓄電システム３０の動作状態を正確に把握するためには、発電システム４０の動作状態が分かった方が良い。
【００２８】
発電システム４０の動作状態を把握可能とするために、本実施形態に係る監視システムの制御ユニット２２は、発電システム用管理サーバ４８のアドレス情報を設定可能なように、且つ、マスターパターン生成処理と通信状況情報送信処理とを行えるようにプログラミングされている。なお、発電システム用管理サーバ４８のアドレス情報（以下、サーバアドレス情報とも表記する）とは、発電システム用管理サーバ４８のＩＰアドレス、当該ＩＰアドレスとポート番号の組み合わせ等の、監視装置４５から発電システム用管理サーバ４８に送信されるパケットのヘッダに設定される情報のことである。サーバアドレス情報は、ＰＶ用ＰＣＳ４２のメーカー名等に基づき、例えば、監視装置２０の設置者により設定される。
【００２９】
以下、マスターパターン生成処理、通信状況情報送信処理の内容を順に説明する。
【００３０】
〔マスターパターン生成処理〕
マスターパターン生成処理は、通信状況情報送信処理時に参照されるマスターパターンを生成するために、監視装置２０の運用開始日（以下、初日と表記する）から所定日数（例えば、５日）かけて実行される処理である。
【００３１】
図３に、マスターパターン生成処理により生成されるマスターパターンの構成例を示す。図示してあるように、マスターパターンは、複数個の通信履歴情報を含む。そして、マスターパターン内の各通信履歴情報は、通信時間範囲情報（“8:55-9:05”等）、サイズ
範囲情報（“97-103byte”等）及び欠損有無情報（“欠損あり”、“欠損無し”）で構成されている。なお、図３には、欠損有無情報として、文字列（“欠損あり”、“欠損無し”）を示してあるが、欠損有無情報は、所定値未満であるか否かにより、所定期間内に欠損があったか否か示す数値情報である（詳細は後述）。
【００３２】
マスターパターン生成処理では、このような構成のマスターパターンが、上記所定日数の間、毎日、実行されるパケット収集処理と、初日のパケット収集処理後に実行される初期パターン生成処理と、２日目以降の各パケット収集処理後に実行されるパターン更新処理とにより生成される。
【００３３】
以下、マスターパターン生成処理を構成する各処理の内容を説明する。
パケット収集処理は、ＮＩＣ２３をプロミスキャスモードで動作させることによりネットワークセグメント１６上を流れる各パケットを捕獲し、宛先ＩＰアドレス等がサーバアドレス情報と一致しているパケットの全データ（つまり、ＩＰヘッダ及びＩＰペイロード）を当該パケットが送信された時間である通信時間に対応づけた形で制御ユニット２２内の記憶装置に記憶する処理である。
【００３４】
マスターパターン生成処理時には、パケット収集処理が、上記所定日数の間、毎日、所定の開始時刻（例えば、日の出時間）に開始され、所定の終了時刻（例えば、日の入り時間）に終了される。なお、本実施形態におけるパケット収集処理は、パケットの捕獲毎に、そのパケットの宛先ＩＰアドレス等がサーバアドレス情報と一致しているか否かが判定され、宛先ＩＰアドレス等がサーバアドレス情報と一致していると判定されたパケットの全データ（以下、キャプチャーデータと表記する）が記憶装置に記憶される処理である。ただし、パケット収集処理は、他の処理手順の処理、例えば、各パケットのキャプチャーデータが記憶装置に一旦記憶されてから、宛先ＩＰアドレス等がサーバアドレス情報と一致していないキャプチャーデータの削除が適宜行われる処理、であっても良い。
【００３５】
初期パターン生成処理は、初日のパケット収集処理により記憶装置に記憶された各パケットのキャプチャーデータ及び通信時間に基づき、マスターパターンの初期値を生成する処理である。具体的には、初期パターン生成処理時、制御ユニット２２は、記憶装置上の情報に基づき、初日の間に監視装置４５が発電システム用管理サーバ４８へ送信したパケット毎に、そのパケットの通信時間、サイズが、それぞれ、通信時間範囲情報、サイズ範囲情報として設定され、“１”が欠損有無情報として設定された通信履歴情報を含むマスターパターンを生成する。そして、制御ユニット２２は、記憶装置上の各パケットのキャプチャーデータ及び通信時間を消去してから、初期パターン生成処理を終了する。
【００３６】
２日目以降の各パケット収集処理後に実行されるパターン更新処理は、マスターパターンを更新するための処理である。
【００３７】
図４に、パターン更新処理の流れ図を示す。
図示してあるように、パターン更新処理時、制御ユニット２２は、まず、第１処理対象情報設定処理（ステップＳ１０１）を行う。
【００３８】
この第１処理対象情報設定処理時、制御ユニット２２は、まず、マスターパターン内の最初の履歴通信履歴情報が、処理対象通信履歴情報であることを記憶する。ここで、マスターパターン内の最初の通信履歴情報とは、マスターパターン内の、時間範囲情報が最も過去の時間範囲を示している通信履歴情報のことである。次いで、制御ユニット２２は、処理対象通信履歴情報内の時間範囲情報が示している時間範囲（図では、処理対象情報内時間範囲）を、登録時間範囲として記憶する。また、制御ユニット２２は、処理対象通信履歴情報内のサイズ範囲情報が示しているサイズ範囲（図では、処理対象情報内サイズ範囲）を、登録サイズ範囲として記憶する。そして、制御ユニット２２は、登録時間範囲の開始時刻と終了時刻の平均値（以下、登録時間範囲中心時刻と表記する）±所定時間を、許容時間範囲として記憶してから、第１処理対象情報設定処理を終了する。なお、“登録時間範囲中心時刻±所定時間”とは、登録時間範囲中心時刻−所定時間から登録時間範囲中心時刻＋所定時間までの時間範囲のことである。所定時間としては、通常、５分程度の時間が使用される。
【００３９】
第１処理対象情報設定処理を終えた制御ユニット２２は、第２処理対象情報特定処理（ステップＳ１０２）を行う。この第２処理対象情報特定処理は、記憶装置上の情報に基づき、未だ処理対象となっていないパケットの中から、最も過去に送信されたパケットを特定し、特定したパケットの通信時間を処理対象通信時間として記憶すると共に、当該パケットのサイズを特定して処理対象サイズとして記憶する処理である。この第２処理対象情報特定処理時に特定されるパケットのサイズは、パケットの全サイズ（つまり、キャプチャーデータのサイズ）であっても、パケットのペイロード（例えば、ＩＰペイロードやＴＣＰペイロード）のサイズであっても良い。
【００４０】
第２処理対象情報特定処理を終えた制御ユニット２２は、処理対象通信時間が許容時間
範囲の終了時刻よりも後であるか否かを判断する（ステップＳ１０３）。
【００４１】
制御ユニット２２は、処理対象通信時間が許容時間範囲の終了時刻よりも後ではなかった場合（ステップＳ１０３；ＮＯ）には、処理対象通信時間が許容時間範囲内であるか否かを判断する（ステップＳ１０６）。そして、制御ユニット２２は、処理対象通信時間が、許容時間範囲内の時間であった場合（ステップＳ１０６；ＹＥＳ）には、処理対象通信履歴情報更新処理（ステップＳ１０７）を開始して、まず、処理対象通信履歴情報内の欠損有無情報を、“１”インクリメントする。
【００４２】
次いで、制御ユニット２２は、処理対象通信履歴時間が登録時間範囲内の時間であるか否かを判断する。そして、制御ユニット２２は、処理対象通信時間が登録時間範囲内の時間ではなかった場合には、時間範囲情報の開始時刻又は終了時刻を処理対象通信時間に変更することで、処理対象通信履歴情報内の時間範囲情報を、処理対象通信時間を含む時間範囲を示す情報に変更する。さらに、制御ユニット２２は、処理対象サイズが登録サイズ範囲内の値であるか否かを判断する。処理対象サイズが比較対象サイズ範囲内の値ではなかった場合、制御ユニット２２は、処理対象サイズ範囲情報の上限値又は下限値を処理対象サイズに変更することで、処理対象サイズ範囲情報を、処理対象サイズを含むサイズ範囲を示す情報に変更する。
【００４３】
上記内容の処理対象通信履歴情報更新処理を終えた制御ユニット２２は、第１処理対象情報更新処理（ステップＳ１０８）を行う。この第１処理対象情報更新処理時、制御ユニット２２は、まず、マスターパターン内に、現処理対象通信履歴情報の次の通信履歴情報が存在しているか否かを判断する。ここで、現処理対象通信履歴情報の次の通信履歴情報とは、マスターパターン内の、パターン更新処理前から存在していた処理対象通信履歴情報を時間範囲情報の降順に並べたときに現処理対象通信履歴情報の次に位置することになる処理対象通信履歴情報のことである。
【００４４】
マスターパターン内に、現処理対象通信履歴情報の次の通信履歴情報が存在していた場合、制御ユニット２２は、上記した第１処理対象情報設定処理と同様の処理を行う。すなわち、制御ユニット２２は、現処理対象通信履歴情報の次の通信履歴情報が、処理対象通信履歴情報であることを記憶する。また、制御ユニット２２は、処理対象通信履歴情報内の時間範囲情報が示している時間範囲を、登録時間範囲として記憶し、処理対象通信履歴情報内のサイズ範囲情報が示しているサイズ範囲を、登録サイズ範囲として記憶する。さらに、制御ユニット２２は、登録時間範囲中心時刻と表記する±所定時間を、許容時間範囲として記憶する。そして、制御ユニット２２は、第１処理対象情報更新処理を終了する。
【００４５】
一方、マスターパターン内に、現処理対象通信履歴情報の次の通信履歴情報が存在していなかった場合、制御ユニット２２は、ステップＳ１０６の判断時にＮＯ側への分岐が行われることになる時間範囲を許容時間範囲として記憶する。そして、制御ユニット２２は、第１処理対象情報更新処理を終了する。
【００４６】
また、処理対象通信時間が許容時間範囲内の時間ではなかった場合（ステップＳ１０６；ＮＯ）、制御ユニット２２は、マスターパターンに通信履歴情報を追加する（ステップＳ１０９）。このステップＳ１０９の処理でマスターパターンに追加される通信履歴情報（図３参照）は、処理対象通信時間、処理対象サイズが、それぞれ、通信時間範囲情報、サイズ範囲情報として、設定され、“１”が欠損有無情報として設定された情報である。
【００４７】
ステップＳ１０８又はＳ１０９の処理を終えた制御ユニット２２は、全パケットの処理が完了したか否かを判断（ステップＳ１１０）し、全パケットの処理が完了していなかっ
た場合（ステップＳ１１０；ＮＯ）、にはステップＳ１０２以降の処理を再び実行する。
【００４８】
制御ユニット２２は、処理対象通信時間が許容時間範囲の終了時刻よりも後であった場合（ステップＳ１０３；ＹＥＳ）には、処理対象通信履歴情報の欠損有無情報を“０”とする（ステップＳ１０４）。そして、制御ユニット２２は、ステップＳ１０８で行われるものと同内容の第１処理対象情報更新処理をステップＳ１０５にて行ってから、ステップＳ１０６以降の処理を開始する。
【００４９】
上記のような処理を繰り返すことにより、全パケットの処理が完了した場合（ステップＳ１１０；ＹＥＳ）、制御ユニット２２は、後処理（ステップＳ１１１）として、記憶装置上の各パケットのキャプチャーデータ及び通信時間を消去する処理を行う。また、この後処理時、制御ユニット２２は、マスターパターン内に未処理の通信履歴情報（処理対象として選択されなかった通信履歴情報）が残っているか否かを判断する。そして、未処理の通信履歴情報が残っていた場合には、未処理の各通信履歴情報内の欠損有無情報を“０”とする処理を行ってから、後処理及びパケット更新処理（図３の処理）を終了する。
【００５０】
マスターパターン生成処理は、上記内容のパケット収集処理、パターン生成処理及びパターン更新処理とで構成されている。従って、例えば、上記所定日数が“５”である状況下、初日から５日目までの監視装置４５から発電システム用管理サーバ４８への通信状況が図５の上段に示したものであった場合、マスターパターン生成処理により、図５の下段に示したマスターパターンが生成されることになる。なお、図５に示してあるマスターパターンは、上記所定日数未満の欠損有無情報を、“欠損あり”とし、上記所定日数と一致する欠損有無情報を“欠損なし”としたものである。
【００５１】
マスターパターン生成処理を終えた制御ユニット２２は、マスターパターン内の、欠損有無情報が規定値以上となっている各通信履歴情報内の通信時間範囲情報が示している通信時間範囲の開始時刻となる度に、通信状況情報送信処理を行う状態となる。
【００５２】
通信状況情報送信処理は、図６に示した手順の処理である。
すなわち、マスターパターンにて規定されている或る通信時間範囲の開始時刻となった場合、制御ユニット２２は、パケットキャプチャにより、当該通信時間範囲の終了時刻までの間の発電システム用管理サーバ４８への通信量を把握する（ステップＳ２０１）。このステップＳ２０１の処理は、ＮＩＣ２３をプロミスキャスモードで動作させることによりネットワークセグメント１６上を流れる各パケットを捕獲し、宛先ＩＰアドレス等がサーバアドレス情報と一致しているパケットのサイズを特定し、特定結果を上記通信量とする処理である。
【００５３】
ステップＳ２０１の処理を終えた制御ユニット２２は、把握した通信量と自機器ＩＤとを設定した所定形式の通信状況情報を、ＮＩＣ２３を利用して管理サーバ１０へ送信する（ステップＳ２０２）。
【００５４】
通信状況情報送信処理の残りのステップの内容を説明する前に、通信状況情報を受信した管理サーバ１０の動作を説明する。
【００５５】
通信状況情報を受信した管理サーバ１０は、図７に示した手順の通信状況情報解析処理を開始し、まず、受信した通信状況情報に設定されている通信量及び機器ＩＤを把握する（ステップＳ３０１）。次いで、管理サーバ１０は、把握した機器ＩＤ（以下、注目機器ＩＤと表記する）に対応づけられている異常連続数を管理用ＤＢ１２からメモリ上に読み出す（ステップＳ３０２）。なお、管理用ＤＢ１２内の異常連続数の、監視装置２０の運用開始時の値は、“０”である。
【００５６】
その後、管理サーバ１０は、通信量が規定量以下であるかを判断する（ステップＳ３０３）。ここで、規定量とは、発電システム４０に問題が生じている可能性があると判断する通信量の上限値として予め設定されている値のことである。この規定値は、発電システム４０別に管理用ＤＢ１２に記憶されている値であっても、管理サーバ１０に設定されている、全発電システム４０に共通して使用される値であっても良い。
【００５７】
管理サーバ１０は、通信量が規定値以下ではなかった場合（ステップＳ３０３；ＮＯ）には、管理用ＤＢ１２内の注目機器ＩＤに対応づけられている異常連続数を“０”クリアする（ステップＳ３０４）。また、管理サーバ１０は、“注目機器ＩＤを有する蓄電システム３０と組み合わされている発電システム４０”（以下、注目発電システム４０と表記する）に異常がないと診断する（ステップＳ３０７）。そして、管理サーバ１０は、当該診断結果を設定した診断結果情報を今回受信した通信状況情報の送信元監視装置２０に返送（ステップＳ３１０）してから、この通信状況情報解析処理を終了する。
【００５８】
一方、通信量が規定値以下であった場合（ステップＳ３０３；ＹＥＳ）、管理サーバ１０は、異常連続数に“１”を加算する（ステップＳ３０５）。このステップＳ３０５の処理は、メモリ上の異常連続数、管理用ＤＢ１２内の注目機器ＩＤに対応づけられている異常連続数のそれぞれに、“１”を加算する処理である。
【００５９】
ステップＳ３０５の処理を終えた管理サーバ１０は、異常連続数が、予め設定されている閾値（例えば、“６”）以上であるか否かを判断する（ステップＳ３０８）。そして、管理サーバ１０は、異常連続数が閾値未満であった場合（ステップＳ３０６；ＮＯ）には、通信量が規定値以下ではなかった場合と同じ処理を行ってから、この通信状況情報解析処理を終了する。
【００６０】
一方、異常連続数が閾値以上であった場合（ステップＳ３０６；ＹＥＳ）、管理サーバ１０は、注目発電システム４０に異常があると診断する（ステップＳ３０８）。すなわち、発電システム４０（ＰＶ用ＰＣＳ４２）に異常が生ずると、通常、ＰＶ用ＰＣＳ４２が動作を停止し、監視装置４５も発電システム用管理サーバ４８への情報送信を停止する。従って、異常連続数が閾値以上であるか否かにより、注目発電システム４０に異常があるか否かを判断できる。
【００６１】
ステップＳ３０８の処理を終えた管理サーバ１０は、上記診断結果及び診断日を注目機器ＩＤに対応づけて管理用ＤＢ１２に記憶する（ステップＳ３０９）。なお、管理サーバ１０は、管理用ＤＢ１２に、或る機器ＩＤに対応づけられて、発電システム４０に異常がある旨の診断結果が記憶されている場合、当該機器ＩＤを有する蓄電システム３０の動作状況確認用のＷｅｂページに、発電システム４０に異常がある旨のメッセージを表示する。
【００６２】
そして、管理サーバ１０は、上記診断結果を設定した診断結果情報を今回受信した通信状況情報の送信元監視装置２０に返送（ステップＳ３１０）してから、この通信状況情報解析処理を終了する。
【００６３】
図６に戻って、通信状況情報送信処理の残りのステップについて説明する。
上記した通信状況情報解析処理（図７）の内容から明らかなように、ステップＳ２０２の処理が行われると、管理サーバ１０から診断結果情報が送信されてくる。制御ユニット２２は、この診断結果情報を受信（ステップＳ２０３）してから、受信した診断結果情報が発電システム４０に異常があることを示す情報であるか否かを判断する（ステップＳ２０４）。
【００６４】
そして、制御ユニット２２は、診断結果情報が発電システム４０に異常があることを示す情報ではなかった場合（ステップＳ２０４；ＮＯ）には、特に処理を行うことなく、この通信状況情報送信処理を終了する。また、制御ユニット２２は、診断結果情報が発電システム４０に異常があることを示す情報であった場合（ステップＳ２０４；ＹＥＳ）には、発電システム４０に異常がある旨のメッセージをＬＣＤ２１に表示（ステップＳ２０５）してから、この通信状況情報送信処理を終了する。
【００６５】
以上、説明したように、本実施形態に係る監視システムの監視装置２０は、監視装置２０が接続されているネットワークセグメント１６上を流れるパケットを捕獲して解析することで、インターネット上の発電システム用管理サーバ４８への各通信の通信時刻及び／又は通信量を特定し、特定結果を示す通信状況情報を管理サーバ１０に送信する機能を有している。また、監視システムの管理サーバ１０は、監視装置２０から受信した最新の複数個の通信状況情報に基づき、蓄電システム３０の受電点５５に接続されている発電システム４０の異常の有無を診断する機能を有している。従って、本実施形態に係る監視システムによれば、蓄電システム３０と同じ受電点５５に接続されている発電システム４０の異常の有無を、当該発電システム４０から何ら情報を得ることなく診断できる。また、その結果として、本実施形態に係る監視システムによれば、蓄電システム３０の動作状態をより正確に判断することが可能となる。
【００６６】
《変形例》
上記した実施形態に係る監視システムは、各種の変形を行うことが出来るものである。例えば、監視装置２０を、マスターパターンをユーザが設定する装置に変形しても良い。また、複数のメーカーの発電システム４０が同一の受電点５５に接続されることは殆どないので、監視装置２０に、各メーカーが運営している発電システム用管理サーバ４８の全アドレス情報を予め設定しておいても良い。
【００６７】
監視装置２０を、監視装置４５のＩＰアドレス又はＭＡＣアドレスが送信元アドレスとなっているパケットを、発電システム用管理サーバ４８宛てのパケットとして取り扱う装置に変形しても良い。監視システムを、監視装置２０が、欠損有無情報を含む通信状況情報を管理サーバ１０へ送信し、管理サーバ１０が、欠損有無情報を考慮して発電システム４０の異常の有無を診断する（例えば、欠損有無情報に応じた値を異常連続数に加算する）システムに変形しても予良い。監視システムを、監視装置２０側で、図７の通信状況情報解析処理相当の処理が行われるシステム（つまり、監視装置２０が、パケットの収集結果から発電システム４０の異常の有無を診断して診断結果を管理サーバに通知するシステム）に変形しても良い。
【００６８】
監視装置２０を、毎日、データ収集処理とパターン更新処理（図４）とを行い、パターン更新処理のステップＳ１０３の判断でＹＥＳ側へ分岐が連続的になされた回数や、ステップＳ１０３の判断のＹＥＳ側へ分岐がなされた割合に基づき、発電システム４０の異常の有無を診断して診断結果を管理サーバ１０に通知する装置に変形しても良い。パターン更新処理を、データ収集処理と並行的に実行される処理に変形しても良い。
【００６９】
監視装置２０に、ネットワークセグメント１６上を一定周期（３０分毎、１時間毎等）で流れる、宛先アドレス、送信元アドレスの組み合わせが同一のパケットを検出し、検出したパケットの宛先アドレス、送信元アドレスを、それぞれ、発電システム用管理サーバ４８のアドレス、監視装置４５のアドレスとする機能を付与しておいても良い。
【００７０】
監視装置２０に、監視装置４５のＩＰアドレス又はＭＡＣアドレスが送信元アドレスとなっているパケットの送信先アドレスを、発電システム用管理サーバ４８のＩＰアドレス
とする装置としておいても良い。また、ステップＳ３０３の判断を、発電システム用管理サーバ４８への通信が行われたか否かの判断としておいても良い。
【００７１】
《付記》
１．  管理サーバ（１０）と、
蓄電システム（３０）の動作状態に関する情報を前記蓄電システムから取得してインターネットを介して前記管理サーバ（１０）に送信する送信装置（２０）と、
を含み、
前記送信装置（２０）は、
前記送信装置が接続されているネットワークセグメント上を流れるパケットを捕獲して解析することで、前記インターネット上の発電システム用管理サーバ（４８）への各通信の通信時刻及び／又は通信量を特定し、特定結果を示す通信状況情報を前記管理サーバに送信する通信状況情報送信手段、
を備え、
前記管理サーバ（１０）は、
前記送信装置から受信した最新の複数個の前記通信状況情報に基づき、前記蓄電システム（３０）の受電点（５５）に接続されている発電システム（４０）の異常の有無を診断する診断手段、
を備える、
ことを特徴とする監視システム。
【００７２】
２．  蓄電システム（３０）の動作状態に関する情報を前記蓄電システムから取得してインターネットを介して前記管理サーバ（１０）に送信する送信装置（２０）であって、
自送信装置（２０）が接続されているネットワークセグメント上を流れるパケットを捕獲して解析することで、前記インターネット上の発電システム用管理サーバ（４８）への各通信の通信時刻及び／又は通信量を特定する特定手段と、
前記特定手段による通信時刻及び／又は通信量の最新の複数個の特定結果に基づき、前記蓄電システム（３０）の受電点（５５）に接続されている発電システム（４０）の異常の有無を診断し、診断結果を前記管理サーバ（１０）に送信する診断手段と、
を備えることを特徴とする送信装置（２０）。
【符号の説明】
【００７３】
１０  管理装置
１２  蓄電システム管理用データベース
１５  ルータ
１６  ネットワークセグメント
２０、４５  監視装置
２１  ＬＣＤ
２２  制御ユニット
２３  ＮＩＣ
２４  操作部
２６  通信ケーブル
３０  蓄電システム
３１  蓄電池
３２  蓄電池用パワーコンディショナ
３５  電流センサ
４０  発電システム
４１  太陽電池アレイ
４２  ＰＶ用パワーコンディショナ
５５  受電点
【図１】
2019213329.tif 000003
【図２】
2019213329.tif 000004
【図３】
2019213329.tif 000005
【図４】
2019213329.tif 000006
【図５】
2019213329.tif 000007
【図６】
2019213329.tif 000008
【図７】
2019213329.tif 000009